(57)【要約】本発明は、捕捉抗体及びレポーター抗体を使用してアルファ−シヌクレインを検出する方法を提供する。捕捉抗体は、非リン酸化完全長アルファ−シヌクレインよりも、残基１２９でリン酸化された完全長アルファ−シヌクレイン（ＰＳ１２９アルファ−シヌクレイン）に優先的に結合する。１１Ａ５抗体は、適切な捕捉抗体の一例である。レポーター抗体は、アルファ−シヌクレインの残基４０−５５内のエピトープに結合する。２３Ｅ８抗体は、このような抗体の一例である。アルファ−シヌクレインのごく一部しかリン酸化されていないため、ピコモル未満の高い検出感度が有利である。【選択図】図１
2018526642.tif 000002
【特許請求の範囲】
【請求項１】
セリン１２９でリン酸化されたアルファ−シヌクレイン（ＰＳ１２９アルファ−シヌクレイン）を検出する方法であって、
（ａ）サンプルを、ＰＳ１２９アルファ−シヌクレインに優先的に結合する捕捉抗体及びアルファ−シヌクレインの残基４０−５５内のエピトープに特異的に結合するレポーター抗体と接触させるステップであって；前記サンプル中にＰＳ１２９アルファ−シヌクレインが存在する場合、前記捕捉抗体及びレポーター抗体が前記ＰＳ１２９アルファ−シヌクレインに結合してサンドイッチ複合体を形成する、ステップ；及び
（ｂ）ステップ（ａ）において前記ＰＳ１２９−アルファシヌクレインが存在する場合に前記ＰＳ１２９−アルファシヌクレインに結合する前記レポーター抗体を検出して、前記ＰＳ１２９アルファ−シヌクレインの存在又は非存在を示すステップ
を含む、方法。
【請求項２】
前記捕捉抗体が１１Ａ５であり、前記レポーター抗体が２３Ｅ８である、請求項１に記載の方法。
【請求項３】
前記捕捉抗体がリンカーを介して支持物に結合する、請求項１又は２に記載の方法。
【請求項４】
前記レポーター抗体を検出する前に、前記サンドイッチ複合体から前記レポーター抗体を溶出するステップをさらに含む、請求項１〜３のいずれか一項に記載の方法。
【請求項５】
前記レポーター抗体が蛍光標識され、単一分子計数によって検出される、請求項１〜４のいずれか一項に記載の方法。
【請求項６】
前記サンプルを前記捕捉抗体と接触させ、前記捕捉抗体がＰＳ１２９アルファ−シヌクレインに結合し、ＰＳ１２９アルファ−シヌクレインに結合した前記捕捉抗体を前記サンプルの他の成分から分離して溶液中に再懸濁し、この溶液を前記レポーター抗体と接触させ、前記レポーター抗体が前記ＰＳ１２９アルファ−シヌクレインに結合して前記サンドイッチ複合体を形成し、前記サンドイッチ複合体を前記再懸濁溶液の他の成分から分離し、前記レポーター抗体を前記サンドイッチ複合体から溶出して検出する、請求項１〜５のいずれか一項に記載の方法。
【請求項７】
定性的に実施される、請求項１〜６のいずれか一項に記載の方法。
【請求項８】
定量的に実施されて、前記ＰＳ１２９アルファ−シヌクレインの絶対量又は相対量を示す、請求項１〜６のいずれか一項に記載の方法。
【請求項９】
前記サンプルが、０．１−１．０Ｍのグアニジンを含有する、請求項１〜８のいずれか一項に記載の方法。
【請求項１０】
前記サンプルが、０．５Ｍのグアニジンを含有する、請求項１０に記載の方法。
【請求項１１】
前記接触ステップの前に、前記捕捉抗体を固相に結合させる、請求項１〜１０のいずれか一項に記載の方法。
【請求項１２】
前記固相が磁気ビーズである、請求項１〜１１のいずれか一項に記載の方法。
【請求項１３】
前記捕捉抗体を磁気ビーズに結合させ、磁場を印加することによって、この磁気ビーズを前記サンプルの残り又は再懸濁溶液から分離する、請求項１２に記載の方法。
【請求項１４】
前記レポーター抗体からのシグナルを、既知の量のＰＳ１２９アルファ−シヌクレインを含有する対照サンプル中の前記レポーター抗体からのシグナルと比較して、前記サンプル中のＰＳ１２９アルファ−シヌクレインの量を決定するステップをさらに含む、請求項１〜１３のいずれか一項に記載の方法。
【請求項１５】
前記レポーター抗体からのシグナルを、ＰＳ１２９アルファ−シヌクレインの量に対するシグナルの検量線と比較して、前記サンプル中のＰＳ１２９アルファ−シヌクレインの量を決定するステップをさらに含む、請求項１〜１４のいずれか一項に記載の方法。
【請求項１６】
前記レポーター抗体からのシグナルが、前記サンプル中のＰＳ１２９アルファ−シヌクレインの量に比例する、請求項１〜１５のいずれか一項に記載の方法。
【請求項１７】
前記レポーター抗体を標識された抗体と接触させて、前記レポーター抗体の存在及びこれにより前記サンプル中のＰＳ１２９アルファ−シヌクレインの存在を示すシグナルを生じるステップをさらに含む、請求項１〜１６のいずれか一項に記載の方法。
【請求項１８】
前記サンプル中の全アルファ−シヌクレイン又は非リン酸化アルファ−シヌクレインのレベルを決定し、リン酸化アルファ−シヌクレインのレベルと全アルファ−シヌクレイン又は非リン酸化アルファ−シヌクレインのレベルとの比率を計算するステップをさらに含む、請求項１〜１７のいずれか一項に記載の方法。
【請求項１９】
前記サンプルが、０．１％のトリトンＸ−４０５を含むＳｉｎｇｕｌｅｘ標準希釈剤で希釈される、請求項１〜１８のいずれか一項に記載の方法。
【請求項２０】
前記サンプルが、ヒト由来のサンプルである、請求項１〜１９のいずれか一項に記載の方法。
【請求項２１】
前記サンプルが、ヒトアルファ−シヌクレインを発現する導入遺伝子を有するトランスジェニックマウス由来である、請求項１〜１９のいずれか一項に記載の方法。
【請求項２２】
前記サンプルが体液である、請求項１〜２１のいずれか一項に記載の方法。
【請求項２３】
前記サンプルがヒトの脳脊髄液（ＣＳＦ）である、請求項２２に記載の方法。
【請求項２４】
前記ＣＳＦサンプルが、０．１％のトリトンＸ−４０５を含むＳｉｎｇｕｌｅｘ標準希釈剤で１：４に希釈される、請求項２３に記載の方法。
【請求項２５】
５００ｐｇ／ｍＬまでで、シヌクレインモノマーとの交差反応性が存在しない、請求項１〜２４のいずれか一項に記載の方法。
【請求項２６】
前記ＣＳＦサンプルが、＜５００ｎｇ／ｍＬのヘモグロビンを含む、請求項２３に記載の方法。
【請求項２７】
前記ＣＳＦサンプルが、２００ｎｇ／ｍＬ〜５００ｎｇ／ｍＬのヘモグロビンを含む、請求項２３に記載の方法。
【請求項２８】
前記ＣＳＦサンプルが、＜２００ｎｇ／ｍＬのヘモグロビンを含む、請求項２３に記載の方法。
【請求項２９】
前記サンプルが、ヒト又はトランスジェニック動物の脳ホモジネートである、請求項１〜２１のいずれか一項に記載の方法。
【請求項３０】
前記サンプルが、細胞を培養するのに使用される培地である、請求項１〜２０のいずれか一項に記載の方法。
【請求項３１】
前記細胞が組換えヒトアルファ−シヌクレインを発現する、請求項３０に記載の方法。
【請求項３２】
ＰＳ１２９アルファ−シヌクレインの存在を０．１ｐｇ／ｍＬのレベルで検出する、請求項１〜３１のいずれか一項に記載の方法。
【請求項３３】
ＰＳ１２９アルファ−シヌクレインの存在を少なくとも０．４ｐｇ／ｍＬのレベルで検出する、請求項２４に記載の方法。
【請求項３４】
ＰＳ１２９−アルファ−シヌクレインの存在が、前記サンプルが得られた被験体を、レビー小体疾患と診断するために使用される、請求項１〜２０又は２２〜３３のいずれか一項に記載の方法。
【請求項３５】
前記方法が被験体の集団に対して実施され、ＰＳ１２９−アルファシヌクレインが存在しない被験体よりも、大きい割合で、ＰＳ１２９アルファ−シヌクレインが存在する被験体が、その後、レビー小体疾患の治療を受ける、請求項１〜２０又は２２〜３４のいずれか一項に記載の方法。
【請求項３６】
前記方法が被験体の集団に対して実施され、ＰＳ１２９アルファ−シヌクレインのレベルが閾値未満である被験体よりも、大きい割合で、ＰＳ１２９アルファ−シヌクレインのレベルが閾値以上である被験体が、レビー小体疾患の治療を受ける、請求項１〜２０又は２２〜３４のいずれか一項に記載の方法。
【請求項３７】
２３Ｅ８（ＡＴＣＣ受託番号ＰＴＡ−１２２７１１）のKabat  ＣＤＲを含む、モノクローナル抗体。
【請求項３８】
キメラ、ベニア化又はヒト化である、請求項３７に記載のモノクローナル抗体。
【発明の詳細な説明】
【技術分野】
【０００１】
＜関連出願の相互参照＞
本出願は、米国仮出願第６２／２９７，７７７号（２０１６年２月１９日出願）、及び第６２／２０９，８００号（２０１５年８月２５日出願）に関連し、これらは参照によりその全体が組み込まれる。
【０００２】
＜配列表の参照＞
本出願は、参照により、２０１６年８月２５日に作成され、１６０８バイトを含む、ファイル719PCT_SEQLST.txtとして、コンピュータで読み取り可能な形式で提出された、配列表を組み込む。
【背景技術】
【０００３】
＜背景＞
アルファ−シヌクレイン脳病理は、シヌクレイノパチーと呼ばれるいくつかの神経変性疾患の顕著な特徴である。アルファ−シヌクレインは、レビー小体（ＬＢ）及びレビーニューライト（これらは神経細胞内封入体である）の主要な成分である。
【０００４】
シヌクレイノパチーは、パーキンソン病（ＰＤ）、レビー小体型認知症（ＤＬＢ）、アルツハイマー病のレビー小体変異型（ＬＢＶＡＤ）、びまん性レビー小体病（ＤＬＢＤ）、多系統萎縮症（ＭＳＡ）、及び脳鉄沈着を伴う神経変性症１型（ＮＢＩＡ−１）を含む。
【０００５】
シヌクレイノパチーは、老年人口における運動障害及び認知低下の一般的な原因である（Galasko et al., Arch. Neurol. (1994) 51:888-95）。今日まで、これらの障害は、治癒可能でも予防可能でもなく、ＰＤの原因及び病因を理解することは、新規の治療の開発に向けて重要である（Tanner et al., Curr. Opin. Neurol. (2000) 13:427-30）。ＰＤの原因は論争中であり、様々な神経毒及び遺伝的感受性の要因を含む、複数の要因が、役割を果たすことが提案されている。
【０００６】
いくつかの研究は、アルファ−シヌクレインがＰＤの病因に中心的役割を果たしていることを示している。なぜなら、（１）このタンパク質が、ＬＢに蓄積し（Spillantini et al., Nature (1997) 388:839-40；Takeda et al., J. Pathol. (1998) 152:367-72；Wakabayashi et al., Neurosci. Lett. (1997) 239:45-8）、（２）アルファ−シヌクレイン遺伝子の突然変異が、まれな家族性型のパーキンソン病と共分離し（Kruger et al., Nature Gen. (1998) 18:106-8；Polymeropoulos  et al., Science (1997) 276:2045-7）、（３）トランスジェニックマウス（Masliah et al., Science (2000) 287:1265-9）及びショウジョウバエ（Feany et al., Nature (2000) 404:394-8）におけるその過剰発現が、ＰＤのいくつかの病理学的態様を模倣するためである。したがって、脳におけるアルファ−シヌクレインの蓄積が、ヒト、マウス、及びハエのように多様な種において同様の形態学的及び神経学的変化に関連しているという事実は、この分子がＰＤの発症に寄与していることを示唆している。
【０００７】
残基セリン１２９でリン酸化されたシヌクレイン（ＰＳ１２９）は、ＰＤにおける、及びレビー小体型認知症及び多系統萎縮症などの他のシヌクレイノパチーにおける、レビー小体及びレビーニューライトに見られる、アルファ−シヌクレインの病理学的修飾として報告されている（Anderson et al. J. Biol. Chem. 281:29739-29752 (2006)）。シクヌレイノパチー疾患において、脳脊髄液中の全アルファ−シヌクレインレベルが減少することが報告されているが、疾患を有する被験体のレベルと疾患を有しない被験体のレベルとの間で実質的な重複がある（Kang et. AL JAMA Neurol. 70(10): 1277-1287 (2013)）。ＰＳ１２９のＣＳＦレベル及びＰＳ１２９と全アルファ−シヌクレインとの比率が、対照と比較してパーキンソン病の患者において、増加することが報告されている（Wang et al Sci Transl Med. 2012 Feb 15; 4(121): 121）。
【発明の概要】
【課題を解決するための手段】
【０００８】
＜特許請求の範囲に係る発明の概要＞
本発明は、セリン１２９でリン酸化されたアルファ−シヌクレイン（ＰＳ１２９アルファ−シヌクレイン）を検出する方法を提供し、この方法は、サンプルを、ＰＳ１２９アルファ−シヌクレインに優先的に結合する捕捉抗体及びアルファ−シヌクレインの残基４０−５５内のエピトープに特異的に結合するレポーター抗体と接触させるステップであって；サンプル中にＰＳ１２９アルファ−シヌクレインが存在する場合、捕捉抗体及びレポーター抗体がＰＳ１２９アルファ−シヌクレインに結合してサンドイッチ複合体を形成する、ステップ；及びステップ（ａ）においてＰＳ１２９−アルファシヌクレインが存在する場合にＰＳ１２９−アルファシヌクレインに結合するレポーター抗体を検出して、ＰＳ１２９アルファ−シヌクレインの存在又は非存在を示すステップを含む。
【０００９】
任意選択的に、捕捉抗体が１１Ａ５であり、レポーター抗体が２３Ｅ８である。任意選択的に、捕捉抗体がリンカーを介して支持物に結合する。任意選択的に、本方法は、レポーター抗体を検出する前に、サンドイッチ複合体からレポーター抗体を溶出するステップをさらに含む。任意選択的に、レポーター抗体が蛍光標識され、単一分子計数によって検出される。任意選択的に、サンプルを捕捉抗体と接触させ、捕捉抗体がＰＳ１２９アルファ−シヌクレインに結合し、ＰＳ１２９アルファ−シヌクレインに結合した捕捉抗体をサンプルの他の成分から分離して溶液中に再懸濁し、この溶液をレポーター抗体と接触させ、レポーター抗体がＰＳ１２９アルファ−シヌクレインに結合してサンドイッチ複合体を形成し、サンドイッチ複合体を再懸濁溶液の他の成分から分離し、レポーター抗体をサンドイッチ複合体から溶出して検出する。任意選択的に、本方法は定性的に実施される。任意選択的に、本方法は定量的に実施されて、ＰＳ１２９アルファ−シヌクレインの絶対量又は相対量を示す。任意選択的に、サンプルが、０．１−１．０Ｍのグアニジンを含有する。任意選択的に、サンプルが、０．５Ｍのグアニジンを含有する。任意選択的に、接触ステップの前に、捕捉抗体を固相に結合させる。任意選択的に、固相が磁気ビーズである。任意選択的に、捕捉抗体を磁気ビーズに結合させ、磁場を印加することによって、この磁気ビーズをサンプルの残り又は再懸濁溶液から分離する。
【００１０】
任意選択的に、本方法は、レポーター抗体からのシグナルを、既知の量のＰＳ１２９アルファ−シヌクレインを含有する対照サンプル中のレポーター抗体からのシグナルと比較して、サンプル中のＰＳ１２９アルファ−シヌクレインの量を決定するステップをさらに含む。任意選択的に、本方法は、レポーター抗体からのシグナルを、ＰＳ１２９アルファ−シヌクレインの量に対するシグナルの検量線と比較して、サンプル中のＰＳ１２９アルファ−シヌクレインの量を決定するステップをさらに含む。任意選択的に、レポーター抗体からのシグナルが、サンプル中のＰＳ１２９アルファ−シヌクレインの量に比例する。任意選択的に、本方法は、レポーター抗体を標識された抗体と接触させて、レポーター抗体の存在及びこれによりサンプル中のＰＳ１２９アルファ−シヌクレインの存在を示すシグナルを生じるステップをさらに含む。任意選択的に、本方法は、サンプル中の全アルファ−シヌクレイン又は非リン酸化アルファ−シヌクレインのレベルを決定し、リン酸化アルファ−シヌクレインのレベルと全アルファ−シヌクレイン又は非リン酸化アルファ−シヌクレインのレベルとの比率を計算するステップをさらに含む。
【００１１】
任意選択的に、サンプルが、０．１％のトリトンＸ−４０５を含むＳｉｎｇｕｌｅｘ標準希釈剤で希釈される。任意選択的に、サンプルが、ヒト由来のサンプルである。任意選択的に、サンプルが、ヒトアルファ−シヌクレインを発現する導入遺伝子を有するトランスジェニックマウス由来である。任意選択的に、サンプルが体液である。任意選択的に、サンプルがヒトの脳脊髄液（ＣＳＦ）である。任意選択的に、ＣＳＦサンプルが、０．１％のトリトンＸ−４０５を含むＳｉｎｇｕｌｅｘ標準希釈剤で１：４に希釈される。任意選択的に、５００ｐｇ／ｍＬまでで、シヌクレインモノマーとの交差反応性が存在しない。任意選択的に、ＣＳＦサンプルが、＜５００ｎｇ／ｍＬのヘモグロビンを含む。任意選択的に、ＣＳＦサンプルが、２００ｎｇ／ｍＬ〜５００ｎｇ／ｍＬのヘモグロビンを含む。任意選択的に、ＣＳＦサンプルが、＜２００ｎｇ／ｍＬのヘモグロビンを含む。
【００１２】
任意選択的に、サンプルが、ヒト又はトランスジェニック動物の脳ホモジネートである。任意選択的に、サンプルが、細胞を培養するのに使用される培地である。任意選択的に、細胞が組換えヒトアルファ−シヌクレインを発現する。任意選択的に、本方法は、ＰＳ１２９アルファ−シヌクレインの存在を０．１ｐｇ／ｍＬのレベルで検出する。任意選択的に、本方法は、ＰＳ１２９アルファ−シヌクレインの存在を少なくとも０．４ｐｇ／ｍＬのレベルで検出する。任意選択的に、ＰＳ１２９−アルファ−シヌクレインの存在が、サンプルが得られた被験体を、レビー小体疾患と診断するために使用される。
【００１３】
いくつかの方法が、レビー小体疾患を有する被験体に対して複数回実施され、ＰＳ１２９アルファ−シヌクレインの量が時間とともに減少し、これはレビー小体疾患の重症度の低下を示す。任意選択的に、本方法が、レビー小体疾患を有する被験体に対して複数回実施され、ＰＳ１２９アルファ−シヌクレインの量が時間とともに増加し、これはレビー小体疾患の重症度の増加を示す。任意選択的に、被験体は、レビー小体疾患の免疫療法を受けているところである。
【００１４】
任意選択的に、本方法は被験体の集団に対して実施され、ＰＳ１２９−アルファシヌクレインが存在しない被験体よりも、大きい割合で、ＰＳ１２９アルファ−シヌクレインが存在する被験体が、その後、レビー小体疾患の治療を受ける。任意選択的に、本方法は被験体の集団に対して実施され、ＰＳ１２９アルファ−シヌクレインのレベルが閾値未満である被験体よりも、大きい割合で、ＰＳ１２９アルファ−シヌクレインのレベルが閾値以上である被験体が、レビー小体疾患の治療を受ける。
【００１５】
本発明は、２３Ｅ８（ＡＴＣＣ受託番号ＰＴＡ−１２２７１１）のKabat  ＣＤＲを含むモノクローナル抗体をさらに提供する。任意選択的に、モノクローナル抗体は、キメラ、ベニア化又はヒト化である。
【図面の簡単な説明】
【００１６】
【図１】図１は、ウェル中に異なる量の捕捉抗体を含むときの、捕捉抗体としての１１Ａ５及びレポーター抗体としての２３Ｅ８の検出感度を示す。
【００１７】
図２Ａ−Ｃは、Ｓｉｎｇｕｌｅｘ標準希釈剤を使用するアッセイにおける、シグナルとＰＳ１２９アルファ−シヌクレイン濃度の関係を示す検量線の決定を示す。
【図２Ａ】図２Ａは、１２点ＰＳ１２９アルファ−シヌクレイン標準曲線である。
【図２Ｂ】図２Ｂは、実際の値（平均検出事象）をプロットする下端部分である。
【図２Ｃ】図２Ｃは、直線プロットである。
【００１８】
図３Ａ−Ｃは、０．１％のトリトンＸ−４０５を含むＳｉｎｇｕｌｅｘ標準希釈剤を使用するアッセイにおける、シグナルとＰＳ１２９アルファ−シヌクレイン濃度の関係を示す検量線の決定を示す。
【図３Ａ】図３Ａは、１２点ＰＳ１２９アルファ−シヌクレイン標準曲線である。
【図３Ｂ】図３Ｂは、実際の値（平均検出事象）をプロットする下端部分である。
【図３Ｃ】図３Ｃは、直線プロットである。
【発明を実施するための形態】
【００１９】
＜定義＞
抗体が標的に「特異的に結合する」というフレーズは、他の生物製剤の異種集団の存在下で抗体の存在を決定する結合反応を指す。したがって、指定されたイムノアッセイ条件下で、特定の分子は特定の標的に優先的に結合し、サンプル中に存在する他の生物製剤には、顕著な量では結合しない。そのような条件下での標的への抗体の特異的結合には、抗体が標的に対するその特異性について選択されることが必要とされる。２つの実体間の特異的結合とは、少なくとも１０６、１０７、１０８、１０９又は１０１０Ｍ−１の親和性を意味する。１０８Ｍ−１より大きい親和性が好ましい。特異的結合が欠如していることは、無関係の対照抗体と区別できない標的への結合及び／又は１０６Ｍ−１未満の親和性を意味する。
【００２０】
用語「抗体」は、インタクトな抗体及びその結合フラグメントを含む。典型的には、フラグメントは、別個の重鎖、軽鎖の、Ｆａｂ、Ｆａｂ'、Ｆ（ａｂ'）２、Ｆａｂｃ、及びＦｖを含む抗原フラグメントへの特異的結合について、それらが由来したインタクトな抗体と競合する。フラグメントは、組換えＤＮＡ技術によって、又はインタクトな免疫グロブリンの酵素的又は化学的分離によって生成される。用語「抗体」はまた、他のタンパク質を含む融合タンパク質に化学的にコンジュゲートされている、又は他のタンパク質を含む融合タンパク質として発現されている、１又は複数の免疫グロブリン鎖を含む。用語「抗体」はまた、二重特異性抗体を含む。二重特異性又は二機能性抗体は、２つの異なる重鎖／軽鎖対及び２つの異なる結合部位を有する人工ハイブリッド抗体である。二重特異性抗体は、ハイブリドーマの融合又はＦａｂ'フラグメントの連結を含む様々な方法によって生成することができる。例えば、Songsivilai & Lachmann, Clin. Exp. Immunol. 79:315-321 (1990)；Kostelny et al., J. Immunol. 148, 1547-1553 (1992)を参照されたい。
【００２１】
本発明の抗体は、典型的には、望ましくない夾雑物から実質的に純粋である。このことは、薬剤が、典型的には、少なくとも約５０％ｗ／ｗ（質量／質量）純度であり、且つ干渉タンパク質及び夾雑物を実質的に含まないことを意味する。時折、抗体は、少なくとも約８０％ｗ／ｗ及び、より好ましくは少なくとも９０又は約９５％ｗ／ｗ純度である。しかしながら、従来のタンパク質精製技術を使用して、少なくとも９９％ｗ／ｗの均一な抗体を得ることができる。
【００２２】
用語「エピトープ」又は「抗原決定基」は、抗原上の部位であって、Ｂ及び／又はＴ細胞がそれに対して応答する部位を指す。Ｂ細胞エピトープは、連続アミノ酸又はタンパク質の３次折り畳みによって並置された非連続アミノ酸の両方から形成されることができる。連続アミノ酸又は翻訳後に修飾されたアミノ酸から形成されるエピトープは、典型的には、変性溶媒に暴露しても保持されるが、３次折り畳みによって形成されるエピトープは、典型的には、変性溶媒で処理すると失われる。エピトープは、典型的には、少なくとも３、しかし一般的に言えば５−１０のアミノ酸を、独特の空間的コンフォメーションで含む。エピトープの空間的コンフォメーションを決定する方法は、例えば、Ｘ線結晶学及び２次元核磁気共鳴を含む。例えば、Epitope Mapping Protocols in Methods in Molecular Biology, Vol. 66, Glenn E. Morris, Ed. (1996)を参照されたい。標的抗原への別の抗体の結合をブロックする１つの抗体の能力を示す、単純なイムノアッセイで、同じエピトープを認識する抗体を同定することができる。
【００２３】
用語「体液」は、測定可能な量のアルファ−シヌクレイン又はそのフラグメントを含むと疑われる哺乳動物宿主の流体を指し、具体的には、血液、脳脊髄液（ＣＳＦ）、尿、及び腹腔液を含む。用語「血液」は、全血、並びに血漿及び血清を指す。
【００２４】
シクヌレイノパチー疾患は、レビー小体、レビーニューライト又はアルファ−シヌクレインの他の堆積物によって特徴付けられる疾患を意味する。
【００２５】
定性的アッセイは、分析物の存在又は非存在を検出する。定量的アッセイは、分析物の存在又は非存在を検出するだけでなく、存在する場合、分析物の絶対量又は相対量を提供する。
【００２６】
アルファ−シヌクレインに対する免疫療法とは、免疫原性アルファ−シヌクレインペプチドを投与してアルファ−シヌクレインに対する抗体を誘導する、又はアルファ−シヌクレインに対する抗体を投与するなどによって、アルファ−シヌクレインに対する能動又は受動免疫応答を誘導することを意味する。
【００２７】
１又は複数の列挙された要素を「含む（ｃｏｍｐｒｉｓｉｎｇ）」組成物又は方法は、具体的に列挙されていない他の要素を含み得る。例えば、アルファ−シヌクレインペプチドを含む組成物は、単離されたアルファ−シヌクレインペプチドと、より大きいポリペプチド配列の成分としてのアルファ−シヌクレインペプチドの両方を包含する。
【００２８】
＜詳細な説明＞
本発明は、サンプル中のＰＳ１２９アルファ−シヌクレインを検出するための方法を提供する。ＰＳ１２９アルファ−シヌクレインが、典型的には、このようなサンプル中の全アルファ−シヌクレインのほんのわずかな部分しか構成しないため、ピコモル未満の高い検出感度が有利である。
【００２９】
Ｉ．  検出に使用される抗体
本発明は、捕捉抗体及びレポーター抗体を使用してアルファ−シヌクレインを検出する方法を提供する。捕捉抗体は、非リン酸化完全長アルファ−シヌクレインよりも、残基１２９でリン酸化された完全長アルファ−シヌクレイン（ＰＳ１２９アルファ−シヌクレイン）に優先的に結合する。優先的結合とは、ＰＳ１２９アルファ−シヌクレインについての結合定数が、非リン酸化アルファ−シヌクレインについての結合定数よりも少なくとも５倍高いことを意味する。任意選択的に、ＰＳ１２９アルファ−シヌクレインについての結合定数は、非リン酸化アルファ−シヌクレインについての結合定数よりも少なくとも１０倍高い。任意選択的に、抗体は、非リン酸化アルファ−シヌクレインへの特異的結合を欠く。１１Ａ５抗体は、適切な捕捉抗体の一例である。
【００３０】
レポーター抗体は、アルファ−シヌクレインの残基４０−５５内のエピトープに結合する。２３Ｅ８抗体は、このような抗体の一例である。実施例において、様々な他の抗体を対照として使用している。
【００３１】
ＡＴＣＣ受託番号ＰＴＡ−８２２２を有する、抗体１１Ａ５を生成する、ＪＨ２２．１１Ａ５．６．２９．７０．５４．１６．１４に指定された細胞株は、２００７年２月２６日にＡＴＣＣに寄託されている。ＡＴＣＣ受託番号ＰＴＡ−１２２７１１を有する、抗体２３Ｅ８を生成する、ＪＨ１９．２３Ｅ８．２．３２．２２に指定された細胞株は、２０１５年１２月９日にＡＴＣＣに寄託されている。本発明は、ヒト化された及びキメラ形態のマウスモノクローナル、特に上述のものを、さらに提供する。
【００３２】
アルファ−シヌクレイン４０−５５などの特定の残基内のエピトープに、抗体が結合すると言われる場合、意味されるのは、例えば、特定の残基（すなわち、この例においてはアルファ−シヌクレイン４０−５５）から成るポリペプチドに抗体が特異的に結合することである。このような抗体は、アルファ−シヌクレイン４０−５５内の全ての残基に必ずしも接触しない。また、アルファ−シヌクレイン４０−５５内の全ての単一のアミノ酸置換又は欠失も、結合親和性に必ずしも顕著に影響を及ぼさない。抗体のエピトープ特異性は、例えば、アルファ−シヌクレインの配列にわたり且つ少ない数のアミノ酸（例えば、３アミノ酸）の単位で異なる、約１５アミノ酸の重複ペプチドのコレクションを試験することによって、決定することができる。ペプチドは、マイクロタイターディッシュのウェル内に固定化される。固定化は、ペプチドの１つの末端をビオチン化することによって行うことができる。任意選択的に、同じペプチドの異なるサンプルを、Ｎ末端及びＣ末端でビオチン化し、比較の目的のために別個のウェルに固定化することができる。これは、末端特異的抗体を同定するのに特に有用である。抗体は、様々なペプチドのそれぞれへの特異的結合についてスクリーニングされる。エピトープは、全てのペプチドに共通するアミノ酸のセグメントであって、抗体がそれに対して特異的結合を示すセグメント内に存在するものとして定義される。
【００３３】
ｉ．  免疫グロブリンの一般的特性
基本的な抗体構造単位は、サブユニットのテトラマーを含むことが知られている。各テトラマーは、同一の２対のポリペプチド鎖から構成され、各対は、１つの「軽」鎖（約２５ｋＤａ）及び１つの「重」鎖（約５０−７０ｋＤａ）を有する。各鎖のアミノ末端部分は、抗原認識に主として関与している約１００〜１１０又はそれ以上のアミノ酸の可変領域を含む。各鎖のカルボキシ末端部分は、エフェクター機能に主として関与している定常領域を規定する。
【００３４】
軽鎖は、カッパ又はラムダのいずれかに分類される。重鎖は、ガンマ、ミュー、アルファ、デルタ、又はイプシロンとして分類され、それぞれＩｇＧ、ＩｇＭ、ＩｇＡ、ＩｇＤ及びＩｇＥとして、抗体のアイソタイプを規定する。軽鎖及び重鎖内で、可変領域及び定常領域は、約１２以上のアミノ酸の「Ｊ」領域によって接合されており、重鎖はまた、約１０以上のアミノ酸の「Ｄ」領域を含む。（Fundamental Immunology, Paul, W., ed., 2nd ed. Raven Press, N.Y., 1989, Ch. 7（参照によりその全体が全ての目的のために組み込まれる）を一般的に参照されたい。）
【００３５】
各軽鎖／重鎖対の可変領域は、抗体結合部位を形成する。したがって、インタクトな抗体は２つの結合部位を有する。二機能性又は二重特異性抗体を除き、この２つの結合部位は同じである。鎖は全て、３つの超可変領域（相補性決定領域又はＣＤＲとも呼ばれる）によって接合された、比較的保存されたフレームワーク領域（ＦＲ）の同じ一般的構造を示す。各対の２つの鎖由来のＣＤＲは、フレームワーク領域によって整列され、特異的なエピトープへの結合を可能にする。Ｎ末端からＣ末端まで、軽鎖及び重鎖の両方は、ドメインＦＲ１、ＣＤＲ１、ＦＲ２、ＣＤＲ２、ＦＲ３、ＣＤＲ３及びＦＲ４を含む。各ドメインへのアミノ酸の割当は、Kabat, Sequences of Proteins of Immunological Interest (National Institutes of Health, Bethesda, Md., 1987 and 1991)；Chothia & Lesk, J. Mol. Biol. 196:901-917 (1987)；又はChothia et al., Nature 342:878-883 (1989)の定義に従う。
【００３６】
ｉｉ．  非ヒト抗体の生成
マウス又は他の非ヒト抗体は、従来のハイブリドーマ技術によって生成することができる。所望の結合特異性は、免疫原及び／又はスクリーニングアプローチの選択によって付与することができる。残基４０と５５との間のエピトープ特異性を備える抗体を作り出すために、これらの残基（すなわち、４０−５５）から成るアルファ−シヌクレインのフラグメント又はこれらの残基を完全長アルファ−シヌクレインまで含むより長いフラグメントを、免疫原として使用することができる。抗体は、上述のように重複ペプチドに結合することによって、スクリーニングすることができる。ＰＳ１２９アルファ−シヌクレインに優先的に結合する抗体を生成するために、完全長ＰＳ１２９アルファシヌクレイン又は残基１２９及びエピトープを構成するために十分な両側の残基（例えば、残基１２９を含む３−１５の連続残基）を含むそのフラグメントを、免疫原として使用することができる。抗体は、非リン酸化アルファ−シヌクレインに対しての、ＰＳ１２９アルファ−シヌクレインへの優先的結合についてスクリーニングされる。
【００３７】
キメラ及びヒト化抗体は、キメラ又はヒト化抗体の構築のための出発物を提供するマウス又は他の非ヒト抗体と同じ又は類似の結合特異性及び親和性を有する。キメラ抗体は、その軽鎖及び重鎖遺伝子が、典型的には遺伝子工学によって、異なる種に属する免疫グロブリン遺伝子セグメントから構築されている抗体である。例えば、マウス抗体の可変ドメインをコードするＤＮＡを配列決定し、ヒト定常（Ｃ）セグメントに接合された可変ドメインをコードするＤＮＡ構築物、例えばＩｇＧ１及びＩｇＧ４、を構築することができる。次いでこの構築物を発現させて、抗体を生成する。ヒトアイソタイプＩｇＧ１が好ましい。いくつかの方法において、抗体のアイソタイプはヒトＩｇＧ１である。ＩｇＭ抗体もまた、いくつかの方法において使用することができる。したがって、典型的なキメラ抗体は、マウス抗体由来のＶ又は抗原結合ドメイン及びヒト抗体由来のＣ又はエフェクタードメインから成るハイブリッドタンパク質である。
【００３８】
ヒト化抗体は、ヒト抗体又はヒト抗体のコンセンサス（アクセプター抗体と呼ばれる）に実質的に由来する、可変領域フレームワーク残基、及びマウス抗体（ドナー免疫グロブリンと呼ばれる）に実質的に又は完全に由来する、いくつかの、通常は６つ全ての相補性決定領域を有する。Queen et al., Proc. Natl. Acad. Sci. USA 86:10029-10033 (1989)、ＷＯ９０／０７８６１、米国特許第５，６９３，７６２号、米国特許第５，６９３，７６１号、米国特許第５，５８５，０８９号、米国特許第５，５３０，１０１号、及びWinterの米国特許第５，２２５，５３９号（これらのそれぞれは、参照によりその全体が全ての目的のために組み込まれる）を参照されたい。定常領域はまた、存在する場合、ヒト免疫グロブリンに実質的に又は完全に由来する。ヒト可変ドメインは、ヒト抗体であって、そのフレームワーク配列が、ＣＤＲが由来したマウス可変領域ドメインと高度の配列同一性を示すヒト抗体から、通常選択される。重鎖及び軽鎖可変領域フレームワーク残基は、同じ又は異なるヒト抗体配列に由来することができる。ヒト抗体配列は、天然に存在するヒト抗体の配列であることができ、又はいくつかのヒト抗体のコンセンサス配列であることができる。CarterらのＷＯ９２／２２６５３を参照されたい。ヒト可変領域フレームワーク残基に由来するある特定のアミノ酸は、ＣＤＲコンフォメーション及び／又は抗原への結合に対するそれらの影響の可能性に基いて、置換のために選択される。このような影響の可能性の調査は、モデリング、特定の位置のアミノ酸の特性の検討、又は特定のアミノ酸の置換又は変異誘発の効果の経験的見解によるものである。
【００３９】
例えば、マウス可変領域フレームワーク残基と選択されたヒト可変領域フレームワーク残基との間でアミノ酸が異なる場合、（１）アミノ酸が抗原に直接的に非共有結合する、（２）アミノ酸がＣＤＲ領域に隣接する、（３）アミノ酸が他のやり方でＣＤＲ領域と相互作用する（例えば、ＣＤＲ領域の約６Ａ以内にある）、又は（４）アミノ酸がＶＬ−ＶＨインターフェイスに参加することが、合理的に予想される場合に、ヒトフレームワークアミノ酸は、通常、マウス抗体由来の等価なフレームワークアミノ酸によって置換されるべきである。
【００４０】
置換のための他の候補は、アクセプターヒトフレームワークアミノ酸であり、これは、その位置のヒト免疫グロブリンにとっては珍しい。これらのアミノ酸は、マウスドナー抗体の等価な位置に由来する、又はより典型的なヒト免疫グロブリンの等価な位置に由来するアミノ酸で、置換することができる。置換のための他の候補は、アクセプターヒトフレームワークアミノ酸であり、これは、その位置のヒト免疫グロブリンにとっては珍しい。ヒト化免疫グロブリンの可変領域フレームワークは通常、ヒト可変領域フレームワーク配列又はそのような配列のコンセンサスと、少なくとも８５％の配列同一性を示す。
【００４１】
ｉｉｉ．  ヒト抗体
アルファ−シヌクレインに対するヒト抗体は、以下に説明される様々な技術によって提供される。ヒト抗体はまた、アルファ−シヌクレインのフラグメントのみを免疫原として使用することによって、及び／又はアルファ−シヌクレインの欠失変異体のコレクションに対する抗体をスクリーニングすることによって、特定のエピトープ特異性についてスクリーニングすることができる。ヒト抗体は好ましくは、アイソタイプ特異性ヒトＩｇＧ１を有する。トリオーマ法、Oestberg et al., Hybridoma 2:361-367 (1983)；Oestbergの米国特許第４，６３４，６６４号；及びEnglemanらの米国特許第４，６３４，６６６号（これらのそれぞれは、参照によりその全体が全ての目的のために組み込まれる）；例えば、Lonberg らのＷＯ９３／１２２２、米国特許第５，８７７，３９７号、米国特許第５，８７４，２９９号、米国特許第５，８１４，３１８号、米国特許第５，７８９，６５０号、米国特許第５，７７０，４２９号、米国特許第５，６６１，０１６号、米国特許第５，６３３，４２５号、米国特許第５，６２５，１２６号、米国特許第５，５６９，８２５号、米国特許第５，５４５，８０６号、Nature 148, 1547-1553 (1994)、Nature Biotechnology 14, 826 (1996)、KucherlapatiのＷＯ９１／１０７４１（これらのそれぞれは、参照によりその全体が全ての目的のために組み込まれる）によって詳細に説明される、トランスジェニック非ヒト哺乳動物；及びファージディスプレイ法（例えば、DowerらのＷＯ９１／１７２７１及びMcCaffertyらのＷＯ９２／０１０４７、米国特許第５，８７７，２１８号、米国特許第５，８７１，９０７号、米国特許第５，８５８，６５７号、米国特許第５，８３７，２４２号、米国特許第５，７３３，７４３号及び米国特許第５，５６５，３３２号（これらのそれぞれは、参照によりその全体が全ての目的のために組み込まれる）を参照されたい）を含む、ヒト抗体を生成するためのいくつかの方法が利用可能である。
【００４２】
ｉｖ．  定常領域の選択
キメラ、ヒト化、又はヒト抗体の重鎖及び軽鎖可変領域は、ヒト定常領域の少なくとも一部に連結することができる。定常領域の選択は、部分的に、抗体依存性補体及び／又は細胞介在性毒性が望ましいかどうかに依存する。例えば、アイソタイプＩｇＧ１及びＩｇＧ３は補体活性を有し、アイソタイプＩｇＧ２及びＩｇＧ４は有さない。アイソタイプの選択はまた、抗体の脳内への通過にも影響を及ぼす可能性がある。ヒトアイソタイプＩｇＧ１が好ましい。軽鎖定常領域はラムダ又はカッパである可能性がある。抗体は、２つの軽鎖及び２つの重鎖を含むテトラマーとして、別個の重鎖、軽鎖として、Ｆａｂ、Ｆａｂ'、Ｆ（ａｂ'）２、及びＦｖとして、又は重鎖及び軽鎖可変ドメインがスペーサを介して連結されている単一鎖抗体として、発現させることができる。
【００４３】
ｖ．  組換え抗体の発現
キメラ抗体、ヒト化抗体及びヒト抗体は典型的には、組換え発現によって生成される。組換えポリヌクレオチド構築物は典型的には、天然に関連する又は異種のプロモーター領域を含む、抗体鎖のコード配列に作動可能に連結された発現制御配列を含む。好ましくは、発現制御配列は、真核宿主細胞を形質転換又は遺伝子導入することができるベクター中の真核プロモーターシステムである。ベクターが適切な宿主に組み込まれると、宿主は、ヌクレオチド配列の高レベル発現、及び交差反応する抗体の回収及び精製に適切な条件下で維持される。
【００４４】
これらの発現ベクターは典型的には、エピソームとして、又は宿主染色体ＤＮＡの不可欠な部分として、宿主生物中で複製可能である。一般に、発現ベクターは、所望のＤＮＡ配列で形質転換された細胞の検出を可能にするために、選択マーカー、例えば、アンピシリン抵抗性又はハイグロマイシン抵抗性を含む。
【００４５】
Ｅ．  ｃｏｌｉは、本発明のＤＮＡ配列のクローニングに特に有用な１つの原核宿主である。酵母などの微生物もまた発現に有用である。サッカロマイセスは好ましい酵母宿主であり、所望の発現制御配列、複製起点、終止配列などを有する適切なベクターを備える。典型的なプロモーターは、３−ホスホグリセレートキナーゼ及び他の解糖酵素を含む。誘導性酵母プロモーターは、とりわけ、アルコールデヒドロゲナーゼ、イソチトクロームＣ、及びマルトースとガラクトースの利用に関与している酵素由来のプロモーターを含む。
【００４６】
哺乳動物細胞は、免疫グロブリン又はそれらのフラグメントをコードするヌクレオチドセグメントを発現するための好ましい宿主である。Winnacker, From Genes to Clones, (VCH Publishers, NY, 1987)を参照されたい。インタクトな異種タンパク質を分泌することができる多数の適切な宿主細胞株が、本分野において開発されており、ＣＨＯ細胞株、様々なＣＯＳ細胞株、ＨｅＬａ細胞、Ｌ細胞、ヒト胎児由来腎臓細胞、及び骨髄腫細胞株を含む。好ましくは、細胞は非ヒトである。これらの細胞の発現ベクターは、複製起点、プロモーター、エンハンサーなどの発現制御配列（Queen et al., Immunol. Rev. 89:49 (1986)）、及びリボソーム結合部位、ＲＮＡスプライス部位、ポリアデニル化部位、及び転写ターミネーター配列などの必要なプロセシング情報部位を含むことができる。好ましい発現制御配列は、内在性遺伝子、サイトメガロウイルス、ＳＶ４０、アデノウイルス、ウシパピローマウイルスなどに由来するプロモーターである。Co et al., J. Immunol. 148:1149 (1992)を参照されたい。
【００４７】
代替的に、抗体コード配列は、トランスジェニック動物のゲノムへの導入及びトランスジェニック動物のミルク中での後続の発現のための導入遺伝子に組み込むことができる（例えば、米国特許第５，７４１，９５７号、米国特許第５，３０４，４８９号、米国特許第５，８４９，９９２号参照）。適切な導入遺伝子は、カゼイン又はベータラクトグロブリンなどの乳腺特異的遺伝子由来のプロモーター及びエンハンサーに作動可能に連結した軽鎖及び／又は重鎖のコード配列を含む。
【００４８】
関心の対象となるＤＮＡセグメントを含むベクターは、細胞宿主のタイプに応じて、周知の方法によって宿主細胞に導入することができる。例えば、塩化カルシウム遺伝子導入は、原核細胞に一般に利用され、リン酸カルシウム処理、エレクトロポレーション、リポフェクション、微粒子銃又はウイルス系遺伝子導入は、他の細胞宿主に使用することができる。哺乳動物細胞を形質転換するために使用される他の方法は、ポリブレン、プロトプラスト融合、リポソーム、エレクトロポレーション、及びマイクロインジェクション（Sambrookらの上記を一般的に参照）の使用を含む。トランスジェニック動物の生成のために、導入遺伝子を、受精卵母細胞にマイクロインジェクションすることができ、又は胚性幹細胞のゲノムに組み込むことができ、そのような細胞の核は、除核卵母細胞に導入される。
【００４９】
発現されると、抗体は、ＨＰＬＣ精製、カラムクロマトグラフィー、及びゲル電気泳動など（Scopes, Protein Purification (Springer-Verlag, NY, 1982)を一般的に参照）を含む、本技術分野の標準的な手順にしたがって精製することができる。
【００５０】
ＩＩ．  アルファ−シヌクレイン
アルファ−シヌクレインはもともと、ＡＤプラークの非ベータアミロイド成分（ＮＡＣ）の前駆体タンパク質として、ヒト脳において同定された（Ueda et al., Proc. Natl. Acad. Sci. U.S.A. 90 (23):11282-11286 (1993)）。アルファ−シヌクレインは、ＡＤアミロイドの非Ａβ成分の前駆体（ＮＡＣＰ）とも呼ばれ、１４０アミノ酸のペプチドである。完全長アルファ−シヌクレインは、アミノ酸配列：
（配列番号：１）MDVFMKGLSKAKEGVVAAAEKTKQGVAEAAGKTKEGVLYVGSKTKEGVVH GVATVAEKTKEQVTNVGGAVVTGVTAVAQKTVEGAGSIAAATGFVKKDQL GKNEEGAPQEGILEDMPVDPDNEAYEMPSEEGYQDYEPEA（Ueda et al., Ibid.；ＧｅｎＢａｎｋ受託番号：Ｐ３７８４０）を有する。
【００５１】
特に指示のない限り、アルファ−シヌクレインの参照は、上記の天然のヒトアミノ酸配列及びその天然の対立遺伝子の種変異型を意味し、分析されるサンプル中に見出される完全長形態及びそのフラグメント、並びにリン酸化などの翻訳後修飾を受けた形態を含む。アルファ−シヌクレインのフラグメント又は変異型は、整列された残基が同じ番号に割り当てられるように、例示された配列におけるように番号が付けられる。
【００５２】
ＩＩＩ．  アルファシヌクレインを検出するためのアッセイ
アルファ−シヌクレインは、サンドイッチイムノアッセイによって検出することができる（米国特許第４，３７６，１１０号、第４，４８６，５３０号、第５，９１４，２４１号、及び第５，９６５，３７５号を参照されたい）。ここで、１つの抗体が固相に固定化され（捕捉抗体）、別の抗体が溶液中にある（レポーター抗体）。典型的には、レポーター抗体は、直接的に、又は抗イディオタイプ抗体などの二次標識化試薬を介して、標識される。捕捉抗体及びレポーター抗体は異なる結合特異性を有するため、両方がアルファ−シヌクレインに同時に結合することができる。捕捉抗体及びレポーター抗体は、順番に又は同時に、標的抗原と接触させることができる。捕捉抗体が最初に接触する場合、このアッセイは、フォワードアッセイであると呼ばれる。反対に、レポーター抗体が最初に接触する場合、このアッセイは、リバースアッセイであると呼ばれる。標的が両方の抗体に同時に接触する場合、このアッセイは、同時アッセイと呼ばれる。標的を抗体と接触させた後、サンプルを、ある期間（これは、約１０分〜約２４時間の範囲で変わることが可能であるが、典型的には約１−２時間である）インキュベートする。洗浄ステップを実施して、固相に特異的に結合していないサンプルの成分を除去することができる。捕捉抗体及びレポーター抗体が別個のステップで結合される場合、いずれか又は両方の結合ステップの後に洗浄を実施することができる。洗浄後、レポーター抗体を検出する。レポーター抗体は、捕捉抗体、ＰＳ１２９アルファ−シヌクレインレポーター抗体のサンドイッチ複合体の一部である間に、又はこのようなサンドイッチ複合体からの溶出後に、検出することができる。レポーター抗体は、直接的に、又はレポーター抗体に結合する二次標識抗体を介して間接的に、標識することができる。通常、捕捉抗体及びレポーター抗体の所与の対について、既知の濃度の標的抗原を含有するサンプルから検量線を作成する。次いで、試験されているサンプル中の抗原の濃度を、検量線から補間によって読み取る。平衡時の標識されたレポーター抗体結合の量から、又は平衡に達する前の一連の時点で結合した標識された溶液抗体からの反応速度測定によって、分析物を測定することができる。このような曲線の傾きは、サンプル中の標的の濃度の尺度である。代替的に、サンプル中のアルファ−シヌクレインへの結合からのレポーター抗体のシグナルを、対照サンプル中の既知の量のアルファ−シヌクレインへの結合からのレポーター抗体のシグナルと比較することによって、サンプル中のアルファ−シヌクレインの量を決定することができる。
【００５３】
上記の方法において使用するのに適切な検出可能な標識は、分光学的、光化学的、生化学的、免疫化学的、電気的、光学的、化学的、又は他の手段によって検出可能な任意の部分を含む。例えば、適切な標識は、標識されたストレプトアビジンコンジュゲートで染色するためのビオチン、蛍光色素（例えば、フルオレセイン、テキサスレッド、ローダミン、緑色蛍光タンパク質など）、放射標識（例えば、３Ｈ、１２５Ｉ、３５Ｓ、１４Ｃ、又は３２Ｐ）、酵素（例えば、ホースラディッシュペルオキシダーゼ、アルカリホスファターゼ及びＥＬＩＳＡにおいて一般に使用される他のもの）、及びコロイド金又は着色ガラス又はプラスチック（例えば、ポリスチレン、ポリプロピレン、ラテックスビーズ）などの比色標識を含む。このような標識の使用を説明した特許は、米国特許第３，８１７，８３７号；第３，８５０，７５２号；第３，９３９，３５０号；第３，９９６，３４５号；第４，２７７，４３７号；第４，２７５，１４９号；及び第４，３６６，２４１号を含む。Handbook of Fluorescent Probes and Research Chemicals（6th Ed., Molecular Probes, Inc., Eugene, Oregon.）も参照されたい。放射標識は、写真フィルム又はシンチレーションカウンターを使用して検出することができ、蛍光マーカーは、放出光を検出する光検出器を使用して検出することができる。酵素標識は典型的には、酵素に基質を提供し、酵素の基質に対する作用によって生成される反応生成物を検出することによって検出され、比色標識は、着色標識を単純に視覚化することによって検出される。
【００５４】
上記の方法において使用するための適切な支持物は、例えば、ニトロセルロース膜、ナイロン膜、及び誘導体化されたナイロン膜を含み、また、粒子、例えばアガロースなど、デキストラン系ゲル、ディップスティック、微粒子、ミクロスフィア、磁性粒子、試験チューブ、マイクロタイターウェル、セファデックス（商標）（Amersham Pharmacia Biotech, Piscataway NJ）などを含む。固定化は、吸収によって、又は共有結合によって行うことができる。任意選択的に、抗体は、表面に結合するために、ビオチンなどのリンカー分子に接合することができる。
【００５５】
アルファ−シヌクレインを組織サンプルから抽出するために使用される溶媒は、アッセイの感度を減少させる可能性がある（例えば、５Ｍグアニジン、尿素／チオ尿素／ＣＨＡＰＳ、尿素／チオ尿素、１％ＳＤＳ、１％ＳＤＳ／８Ｍ、細胞溶解バッファー）。このような溶媒は、それらが、アッセイに使用されるバッファーの１％未満及び好ましくは０．１％未満を占めるように、除去又は希釈されることが推奨される。
【００５６】
サンドイッチアッセイにおいて使用するのに好ましいモノクローナル抗体の対は、捕捉抗体としてのＰＳ１２９アルファ−シヌクレインに特異的な抗体、及びレポーター抗体としてのアルファ−シヌクレインの残基４０−５５内のエピトープに結合する抗体である。このような抗体は、セリン１２９でリン酸化されたアルファ−シヌクレインを検出する。このような抗体はまた、ＰＳ１２９−アルファ−シヌクレイン特異的抗体のエピトープを完成する、残基４０−５５及び１２９並びに任意の追加の残基を含む、アルファ−シヌクレインのフラグメントを検出する。例えば、捕捉抗体が１２７−１３１のエピトープに結合する場合、アルファ−シヌクレインの少なくとも残基４０〜残基１３１を含むフラグメントが検出されるであろう。
【００５７】
レポーターアッセイからのシグナルは通常、上述したように、サンプル中に存在する、完全長ＰＳ−１２９アルファ−シヌクレイン及びそのフラグメントに起因する。したがって、アッセイが、ＰＳ１２９アルファ−シヌクレインの存在又は量を検出すると言われる場合、ＰＳ１２９アルファ−シヌクレインは、完全長又はフラグメント又はそれらの両方であり得る。典型的には、シグナルは、完全長ＰＳ−１２９アルファ−シヌクレインとそのフラグメントとの間を分割しないが、それらのそれぞれの寄与は、サンドイッチ複合体から溶出し、例えば質量分析法又はゲル電気泳動又は他の抗体でのマッピングによるさらなる分析に供することによって、分割することができる。
【００５８】
本方法の好ましい実施形態は、任意選択的にビオチンなどのリンカーを介して、磁性粒子に固定化された、捕捉抗体、好ましくは１１Ａ５を有する。サンプルは最初に捕捉抗体と接触する。この捕捉抗体は、サンプル中のＰＳ１２９アルファ−シヌクレインに結合する（存在する場合）。（ＰＳ１２９アルファ−シヌクレインが存在する場合）形成された複合体は、次いで、磁場を印加することによって、結合していないタンパク質及び他の夾雑物を含むサンプルの残りから分離することができる。分離及び任意選択的に洗浄の後、ビーズに連結された捕捉抗体−ＰＳ１２９アルファ−シヌクレイン複合体を、新鮮な溶液に再懸濁する。次いで、レポーター抗体、好ましくは２３Ｅ８を供給する。レポーター抗体は好ましくは、蛍光標識を有する。レポーター抗体は、捕捉抗体−ＰＳ１２９アルファ−シヌクレインの複合体に結合し（サンプル中にＰＳ１２９アルファ−シヌクレインが存在する場合）、捕捉抗体ＰＳ１２９アルファ−シヌクレイン及びレポーター抗体のサンドイッチを完成する。サンドイッチ複合体は次いで、磁場を再び印加することによって、懸濁液から取り出される。複合体は、任意選択的に洗浄して、任意の結合していない標識されたレポーターを除去することができる。レポーター抗体は、サンドイッチ複合体から溶出されて検出される。好ましくは、検出は、毛細管流路において蛍光分子がレーザービームを横切り、個々の蛍光シグナルが記録されるもの（J Clin Invest. 2015; 125(5):1979-1986. doi:10.1172/JCI80743）などの、単一分子計数技術によって行われる。この技術の好ましいフォーマットは、Ｅｒｅｎｎａ（登録商標）イムノアッセイシステム（EMD Millipore, Billerica, MA）である。
【００５９】
いくつかの方法において、標準ＰＳ１２９アルファ−シヌクレイン及びサンプルを、リン酸緩衝食塩水及び０．１％  ウシ血清アルブミン（ＢＳＡ）を含むＳｉｎｇｕｌｅｘ標準希釈剤で希釈する。いくつかの方法において、標準ＰＳ１２９アルファ−シヌクレイン及びサンプルを、リン酸緩衝食塩水、０．１％  ウシ血清アルブミン（ＢＳＡ）、及び０．１％  トリトンＸ−４０５を含む改変されたＳｉｎｇｕｌｅｘ標準希釈剤で希釈する。いくつかの方法において、ＳＭＣブロッカーカクテル、０．３％  トリトンＸ−１００、及び１５０ｍＭ  ＮａＣｌを含むＳｉｎｇｕｌｅｘアッセイバッファーを、抗体及び磁性粒子の希釈のために使用する。例示的なバッファーは、米国特許第７，５７２，６４０号に開示されている。
【００６０】
いくつかの方法はまた、全アルファ−シヌクレイン又は非リン酸化アルファ−シヌクレインを決定して、リン酸化アルファ−シヌクレインと、全アルファ−シヌクレイン又は非リン酸化アルファ−シヌクレインとの比率を計算する。全アルファ−シヌクレインは、リン酸化状態に関係なく、アルファ−シヌクレインを指す。ＰＳ１２９アルファ−シヌクレインは通常、全アルファ−シヌクレインレベルの１０質量％又はモル％未満に寄与するため、全アルファ−シヌクレインと非リン酸化アルファ−シヌクレインとは、通常著しく異なるものではない。全アルファ−シヌクレインは、ＵＳ７，６７４，５９９によって開示される方法を含む任意の方法によって検出することができる。任意選択的に、検出は、ＰＳ１２９アルファ−シヌクレインを検出するために使用される抗体と同じ又は類似のエピトープ特異性を有する抗体の対を用いて実施される。同じ特異性のレポーター抗体を使用することができる（すなわち、アルファ−シヌクレインの残基４０−５５内のエピトープへの結合）。捕捉抗体はまた、ＰＳ１２９アルファ−シヌクレインを検出するために使用される捕捉抗体と同じ又は類似のエピトープ（例えば、残基１２９にわたる、隣接する、又は近接する直鎖エピトープ）に結合することができるが、非リン酸化アルファ−シヌクレインよりも優先的にＰＳ１２９アルファ−シヌクレインに結合しないだろう。抗体は、ＰＳ１２９アルファ−シヌクレインよりも優先的に非リン酸化アルファ−シヌクレインに結合してもしなくてもよい。抗体のこのような組み合わせは、完全長非リン酸化アルファ−シヌクレイン、並びにレポーター抗体結合部位及び捕捉抗体結合部位の両方を含むその任意のフラグメントを検出する。捕捉抗体が、ＰＳ１２９アルファ−シヌクレイン及び非リン酸化アルファ−シヌクレインの両方に結合する場合、抗体のこのような組み合わせはまた、完全長リン酸化アルファ−シヌクレイン、並びにレポーター抗体結合部位及び捕捉抗体結合部位の両方を含むその任意のフラグメントを検出する。
【００６１】
いくつかの方法において、シヌクレインモノマーとの交差反応性は観察されない。いくつかの方法において、シヌクレインモノマーとの交差反応性は、５００ｐｇ／ｍＬまでで観察されない。
【００６２】
ＩＶ．  適用
Ａ．  体液
患者サンプル中のＰＳ１２９アルファ−シヌクレインのインビボ検出は、レビー小体又はアルファ−シヌクレインの他の堆積物によって特徴付けられる疾患の診断及びモニタリングのために使用することができる。シクヌレイノパチー疾患は、パーキンソン病（ＰＤ）、レビー小体型認知症（ＤＬＢ）、アルツハイマー病のレビー小体変異型（ＬＢＶＡＤ）、多系統萎縮症（ＭＳＡ）、脳鉄沈着を伴う神経変性症１型（ＮＢＩＡ−１）、びまん性レビー小体病（ＤＬＢＤ）、及びＰＤとアルツハイマー病（ＡＤ）を組み合わせたものを含む。適切な患者サンプルは、体液、例えば、血液、ＣＳＦ、尿、及び腹腔液などを含む。シクヌレイノパチー疾患の存在は一般に、正常個体、すなわち、シクヌレイノパチー疾患を患っていない個体における平均値と比較して、（典型的には増加した）流体中の有意に変化したレベルのＰＳ１２９アルファ−シヌクレインに関連する。レベルは、それが正常個体の集団における平均レベルから、少なくとも１標準偏差、及び好ましくは少なくとも２標準偏差だけ逸脱する場合、有意に変化している。いくつかの方法において、全アルファ−シヌクレイン又は非リン酸化アルファ−シヌクレインのレベルもまた決定され、任意選択的に、リン酸化アルファ−シヌクレインのレベルと、全アルファ−シヌクレイン又は非リン酸化アルファ−シヌクレインのレベルとの間で、比率が計算される。このような比率は一般に、ＰＳ１２９アルファ−シヌクレインと同じ方向に変化する（すなわち、比率の増加は疾患の存在又はそれ以上の重症度を示す）。
【００６３】
いくつかの方法において、血液由来のシヌクレインではなく神経シヌクレインの測定を保証するために、赤血球汚染の尺度として、ＣＳＦサンプル中のヘモグロビンレベルを決定する（Kang, J.H., et al., JAMA Neurol. 2013; 70 1277-1287、Hong, Z. et al., Brain 2010, 133:713-726；Barbour, R., et al..Neurodegener Dis, 2008. 5:55-59）。いくつかの方法において、ＣＳＦサンプル中のヘモグロビンレベルは、ヒトヘモグロビンＥＬＩＳＡアッセイ、例えば、ヒトヘモグロビンＥＬＩＳＡ定量キット（Bethyl Lab Inc., Montgomery, TX）で決定される。いくつかの方法において、ＣＳＦサンプル中のヘモグロビンレベルは５００ｎｇ／ｍＬ未満である。いくつかの方法において、ＣＳＦサンプル中のヘモグロビンレベルは２００ｎｇ／ｍＬ〜５００ｎｇ／ｍＬである。いくつかの方法において、ＣＳＦサンプル中のヘモグロビンレベルは２００ｎｇ／ｍＬ未満である。
【００６４】
いくつかの方法において、ＣＳＦサンプルは、リン酸緩衝食塩水、０．１％  ウシ血清アルブミン（ＢＳＡ）、及び０．１％  トリトンＸ−４０５を含む改変されたＳｉｎｇｕｌｅｘ標準希釈剤で、１：４に希釈される。
【００６５】
任意選択的に疾患の他の徴候又は症候と組み合わせた、シクヌレイノパチー疾患の初期診断に加えて、ＰＳ１２９アルファ−シヌクレイン又は上で論じた比率は、治療前及び治療中などの複数の時点でＰＳ１２９アルファ−シヌクレインを測定することによって、モニタリングして疾患の進行を追跡し、これによりアルファ−シヌクレインに対する免疫療法などの治療の有効性を追跡することができる。正常個体の集団における平均値に向かって戻るＰＳ１２９アルファ−シヌクレインのレベルは、治療法が有効であることを示すものであり、ＰＳ１２９アルファ−シヌクレインのレベルの増加は、治療が有効でないことを示すものである。
【００６６】
ＰＳ１２９アルファ−シヌクレインの存在又はレベル又は上で論じた関連する比率はまた、将来の治療を決定する要因として使用することができる。ＰＳ１２９アルファ−シヌクレインが存在するか又は閾値を満たす若しくは超えるレベルにある被験体は、（例えば、免疫療法による）レビー小体疾患の治療又は予防に適切であると示される一方で、ＰＳ１２９アルファ−シヌクレインが存在しないか又は閾値未満である被験体は、適切でないと示される。ＰＳ１２９アルファ−シヌクレインの存在又はレベルは、治療決定に影響を及ぼす、レビー小体疾患のいくつかの徴候又は症候のうちの１つにすぎないかもしれないが、ＰＳ１２９アルファ−シヌクレインが存在するか又は閾値以上である被験体は、ＰＳ１２９アルファ−シヌクレインが存在しないか又は閾値未満である被験体よりも、レビー小体疾患のための治療を受ける可能性が統計的に高い。
【００６７】
Ｂ．  細胞培養
ＰＳ１２９アルファ−シヌクレインのプロセシング、リン酸化及び分泌、並びにそれに対する潜在的薬剤の効果を分析するために、適切な細胞培養からの条件培地におけるＰＳ１２９アルファ−シヌクレインのインビトロモニタリングを使用することができる。アルファ−シヌクレインのリン酸化のモニタリングは、それに関与しているホスホリラーゼを同定するための手段を提供する。ＰＳ１２９アルファ−シヌクレインのプロセシング及び／又は分泌を阻害する薬剤は、シクヌレイノパチー疾患の予防に潜在的に有用な薬理的活性を有する。典型的には、阻害活性は、試験薬剤で処理された細胞からの培地中のＰＳ１２９アルファ−シヌクレインのレベルを、薬剤で処理していない同等の対照細胞と比較することによって決定する。
【００６８】
適切な細胞は、アルファ−シヌクレイン、好ましくは、ヒトアルファ−シヌクレインをコードする核酸を遺伝子導入した細胞、及びアルファ−シヌクレイン、また好ましくはヒトアルファ−シヌクレインを天然に発現する細胞を含む。遺伝子導入された細胞中のアルファ−シヌクレインは、Ｓ１２９Ａ、Ｓ１２９Ｄ、Ａ５３Ｔ及びＡ２０Ｐなどの突然変異を有する可能性がある。細胞は、ＰｅａｋＳ細胞、ＳＹ５Ｙ細胞、ヒト皮質細胞、ヒト神経膠腫細胞株、ヒトＨｅＬａ細胞、初代ヒト内皮細胞（例えばＨＵＶＥＣ細胞）、初代ヒト線維芽細胞又はリンパ芽球、初代ヒト混合脳細胞（ニューロン、星状細胞、及び神経膠細胞を含む）、チャイニーズハムスター卵巣（ＣＨＯ）細胞などを含む。ＳＹ５Ｙ細胞は、レチノイン酸／ＢＤＮＦ（脳由来神経栄養因子）での処理によって分化誘導することのできる神経細胞である。正常ヒト細胞よりも高いレベルでＰＳ１２９アルファ−シヌクレインを発現する遺伝子導入された細胞が好ましい。
【００６９】
ペプチド又は他の化合物のランダムライブラリーもまた、適合性についてスクリーニングすることができる。コンビナトリアルライブラリーは、段階的に合成することのできる多くのタイプの化合物について作製することができる。このような化合物は、ポリペプチド、ベータターン模倣物、多糖、リン脂質、ホルモン、プロスタグランジン、ステロイド、芳香族化合物、複素環式化合物、ベンゾジアゼピン、オリゴマーのＮ−置換グリシン及びオリゴカルバメートを含む。化合物の大きいコンビナトリアルライブラリーは、AffymaxのＷＯ９５／１２６０８、AffymaxのＷＯ９３／０６１２１、コロンビア大学のＷＯ９４／０８０５１、PharmacopeiaのＷＯ９５／３５５０３及びScrippsのＷＯ９５／３０６４２（これらのそれぞれは、参照により全ての目的のために本明細書に組み込まれる）において説明されるコード化合成ライブラリー（ＥＳＬ）法によって構築することができる。ペプチドライブラリーはまた、ファージディスプレイ法によっても作製することができる。例えば、DevlinのＷＯ９１／１８９８０を参照されたい。試験化合物は典型的には、約１ｎＭ〜１ｍＭ、通常約１０μＭ〜１ｍＭの範囲の濃度で培地に投与される。アルファ−シヌクレインの形成、プロセシング又は分泌を阻害することのできる試験化合物は、トランスジェニック動物及び最終的にはヒト臨床治験におけるさらなる決定のための候補である。
【００７０】
Ｃ．  トランスジェニック動物
本発明の抗体及びそれらを検出するためのアッセイは、疾患のトランスジェニック動物モデルにおいて、ＰＳ１２９アルファ−シヌクレインの生成、リン酸化及びプロセシングをモニタリングするために使用することもできる。レビー小体疾患のトランスジェニック動物モデルは、Masliah, et al. Science 287:1265-1269 (2000)；Masliah et al., PNAS USA 98:12245-12250 (2001)によって説明されている。アルファシヌクレインは、ヒトサンプルについて上述したような体液において、又は動物から直接採取した組織サンプルにおいて、分析することができる（参照により組み込まれる同時係属中の６０／４２３，０１２号（２００２年１１月１日出願）を参照されたい）。組織サンプルは、レビー小体、微粒子画分及び可溶性画分として分類することができる。ＰＳ１２９アルファ−シヌクレインの形成を阻害する能力について薬剤をスクリーニングするために、単純なアッセイを細胞培養に関して実施することができる。典型的には、特に、薬剤で処理されたトランスジェニック動物の組織サンプル由来の体液又は画分中のＰＳ１２９アルファ−シヌクレインのレベルを、薬剤で処理されていない対照トランスジェニック動物の同じ体液又は画分中のＰＳ１２９アルファ−シヌクレインのレベルと比較することによって、阻害活性が決定される。阻害活性は、対照と比較した、処理された動物における、そのＰＳ１２９アルファ−シヌクレインのレベルの減少によって示される。
【００７１】
ヒト患者の脳由来の組織サンプルを同様の分析に供することができる。しかしながら、患者の脳からサンプルを得ることは望ましくない侵襲的な手順であるため、このような分析は通常、死体に限定される。
【００７２】
Ｖ．  キット
本発明は、本発明の１又は複数の捕捉抗体及びレポーター抗体の対を含むキットをさらに提供する。いくつかのキットにおいて、捕捉抗体は、マイクロタイターディッシュなどの固相に予め固定化される。任意選択的に、抗イディオタイプ抗体などの標識化試薬もキットに含まれる。標識化はまた、測定された標識のレベルをアルファ−シヌクレインに対する抗体のレベルに相関させる、チャート又は他の対応規則を含み得る。用語ラベリング（ｌａｂｅｌｉｎｇ）は、キットの製造、輸送、販売又は使用中にいつでもキットに添付されている、又は他の方法でキットに付随する、任意の書面にされた又は記録された資料を指す。例えば、用語ラベリングは、広告チラシ及びパンフレット、包装材料、説明書、オーディオカセット又はビデオカセット、コンピュータディスク、及びキットに直接刻印された書面を包含する。キットは、例えば、研究試薬又は診断試薬として販売することができる。
【００７３】
本発明は、理解を明確にする目的で詳細に説明されているが、添付の特許請求の範囲の範囲内で、ある特定の変更を実施することができることは明らかであろう。本出願で引用されている全ての刊行物及び特許文献は、それぞれが個々に示されていたかのように、全ての目的のためにそれらの全体が参照により本明細書に組み込まれる。文脈から明らかではない限り、任意の実施形態、態様、特徴又はステップを任意の他のものと組み合わせて使用することができる。引用又は受託番号などに関連する内容が時間とともに変化すべき場合、本出願の有効な出願日に存在するバージョンが意図され、有効な出願日とは、実際の出願日又は引用又は受託番号を開示している優先権出願の先の出願日である。
【実施例】
【００７４】
実施例では以下の抗体を使用する。
１１Ａ５（ＪＨ２２−１１Ａ５）エピトープAYEMP（ホスホ）SEEGYQ（Ｓｙｎ１２４−１３４）
４Ｂ１２（ｐａｎアルファ−ｓｙｎ）市販エピトープNEEGAP（Ｓｙｎ１０３−１０８）
ＭＪＦＲ１（ｐａｎアルファ−ｓｙｎ）市販エピトープVDPDNE（Ｓｙｎ１１８−１２３）
２３Ｅ８（ＪＨ１９−２３Ｅ８）エピトープVGSKTKEGVVHGVATV-GGC（Ｓｙｎ４０−５５）
【００７５】
例１：組換えＰＳ１２９アルファ−シヌクレイン標準の調製
【００７６】
組換えＰＳ１２９アルファ−シヌクレインは、以下の方法を使用して調製した。
【００７７】
ＰＬＫ２でのリン酸化（Salvi, M., Trashi, E., Cozza, G., Negro, A., Hanson, P.I., Pinna, L.A. (2012). Biotechniques. Doi: 10.2144/000113866出典の条件）
【００７８】
材料：
１）ＰＬＫ２（Carna Biosciences, Cat#05-158）
２）沸騰／アニオン交換法又は加熱なしで調製されるＮｉＮＴＡ／アニオン交換法を使用して調製された、組換え精製アルファ−シヌクレインＥ．  ｃｏｌｉ発現タンパク質
３）１０ｘ  ＰＬＫ２反応バッファー（新鮮に調製された）
２００ｍＭ  トリス  ｐＨ７．５
１００ｍＭ  ＭｇＣｌ２
１０ｍＭ  ＤＴＴ
４）ＡＴＰストック（非常に限定された凍結解凍歴を有する）、１０ｍＭ（New England BiolabsからのＡＴＰ）
【００７９】
反応：
１）アルファ−シヌクレインを調製する。（１．２５ｍｇ  アルファ−シヌクレイン、＜３．５ｍｇ／ｍＬの濃度に調製された。）最終反応体積は０．５ｍＬであった。
２）濃縮されたアルファ−シヌクレインをｄｄＨ２Ｏにバッファー交換する。
３）反応を組み立てる。標準の０．５ｍｌ反応のための最終反応混合物：
１ｘ  ＰＬＫ２バッファー
２５μＭ  ＡＴＰ
１．２５ｍｇ  アルファ−シヌクレイン
５μｇ  ＰＬＫ２（１：２５０  キナーゼ：基質比率）
ｄｄＨ２Ｏを０．５ｍＬまで
４）一晩３０℃でインキュベートする。
５）任意選択：翌朝、サンプルを沸騰させてキナーゼを沈殿させる（クロマトグラフィーステップが続く場合は不要。ＰＬＫ２はホスホ−シヌクレインから分割される。）。
【００８０】
リン酸化シヌクレインのクロマトグラフ分離
リン酸化シヌクレインをキナーゼ反応混合物から分割するために、以下の条件を使用した：１ｍＬ  Q HP HiTrapカラム（GE Lifesciences）で遅い塩勾配、AKTA Purifier使用。以下の条件を使用して、タンパク質性の非リン酸化ピーク及びリン酸化ピーク、及びＰＬＫ２、並びに非タンパク質性のＡＴＰ及びＡＤＰを分割した。
バッファーＡ：２０ｍＭ  トリス  ｐＨ７．５
バッファーＢ：１Ｍ  ＮａＣｌを含む２０ｍＭ  トリス  ｐＨ７．５
サンプル：ローディングバッファーで２：１に希釈された（すなわち、サンプルに２倍のサンプル体積が添加された）
流量：１ｍｌ／ｍｉｎ
３ＣＶ  バッファーＡで洗浄
２０％  Ｂにステップし、３ＣＶで洗浄
勾配：３５ＣＶにわたり、２０−５５％  Ｂ
最初の実行では、より低い、より遅い勾配を実行して、分割が成功していることを確認してよい。
導電率による溶出ピーク：
ＡＤＰ：１６ｍＳ／ｃｍ
ＡＴＰ：１８．３ｍＳ／ｃｍ
非リン酸化シヌクレイン：２５．７ｍＳ／ｃｍ
ホスホ−シヌクレイン：２８．４ｍＳ／ｃｍ
【００８１】
ホスホ−シヌクレインピークを回収し、凍結前にＰＢＳ中で透析した。非リン酸化対照を実行して溶出ピークを確認した。この方法は、電荷によってリン酸化シヌクレインを非リン酸化シヌクレインから分割するが、リン酸化部位には依存しない。精製された材料の質量分析は、ほとんどのリン酸化がｐＳ１２９にあり、少ない副次的なリン酸化がＴ３３及びＴ８１にあることを示した。
【００８２】
例２  ＰＳ１２９アルファ−シヌクレインを検出するためのアッセイ
【００８３】
例１でのように調製された組換えＰＳ１２９アルファ−シヌクレインを、検出の標的として使用した。
【００８４】
続いて、実現可能性プロトコルを行い、異なる抗体の組み合わせによって決定されるＰＳ１２９アルファ−シヌクレインの範囲を決定した。簡単に言うと、このプロトコルは、抗体の６つの順列について６点１０倍希釈標準曲線を含み、各対の可能性について試験し、後続の実験において使用されるべき分析物濃度を推定した。Ｓｉｎｇｕｌｅｘ標準希釈剤（リン酸緩衝食塩水及び０．１％  ウシ血清アルブミン（ＢＳＡ）を含む）で希釈された、１００μＬの標準ＰＳ１２９アルファ−シヌクレインサンプルを、捕捉抗体でコーティングされた磁性粒子を含有する、１００μＬのＳｉｎｇｕｌｅｘアッセイバッファー（ＳＭＣブロッカーカクテル、０．３％  トリトンＸ−１００、及び１５０ｍＭ  ＮａＣｌを含む）と混合し、１２０分２５℃でインキュベートした。ビオチンリンカーを介して１１Ａ５抗体を磁性粒子に結合させた。次いで、磁気分離を利用して、結合した分析物を洗浄し、洗浄手順の間、ＭＰを単離された状態に維持して、ビーズの損失を確実に防止した。洗浄し、過剰のバッファーを除去した後、Ｓｉｎｇｕｌｅｘアッセイバッファー中の２０μＬの検出抗体を添加し、６０分２５℃でインキュベートした。結果として得られた複合体を、上述のように、磁気分離を使用して、４回洗浄した。Ｓｉｎｇｕｌｅｘ溶出バッファー（溶出バッファーＢ、カタログ番号02-0297-00、EMD Millipore、Billerica、MA）を添加し、５−１０分２５℃でインキュベートした。溶出液を、Ｓｉｎｇｕｌｅｘ中和バッファー（バッファーＤ、カタログ番号02-0368-00、EMD Millipore、Billerica、MA）を含有する３８４ウェルプレートに移した。次いで、３８４ウェルプレートを、単一分子計数（ＳＭＣ（商標））技術を利用するＥｒｅｎｎａ（登録商標）イムノアッセイシステムを使用して読み取った。
【００８５】
表１及び２は、捕捉抗体及びレポーター抗体の様々な組み合わせの検出感度を示す。捕捉抗体としての１１Ａ５及びレポーター抗体としての２３Ｅ８の組み合わせは、約０．１ｐｇ／ｍＬ（〜７ｆＭ）の定量下限（ＬＬＯＱ）を有し、いかなる他の組み合わせよりも、約１０倍高い感度を示した。
【００８６】
【表１】
2018526642.tif 000003
【００８７】
【表２】
2018526642.tif 000004
【００８８】
スクリーニングアッセイは、捕捉抗体としての１１Ａ５及びレポーター抗体としての２３Ｅ８を使用する以下のプロトコルを示唆した。
ｏ１００μＬの標準ＰＳ１２９アルファ−シヌクレイン＋抗体１１Ａ５でコーティングされた１００μＬの磁性粒子（ＭＰ）を添加する
ｏ１２０分２５℃でインキュベートする
ｏ磁気分離を使用して１回洗浄する
ｏ２０μＬの検出抗体２３Ｅ８を添加し、６０分２５℃でインキュベートする
ｏ磁気分離を使用して４回洗浄する
ｏ溶出バッファーを添加し、５−１０分２５℃でインキュベートする
ｏ溶出液を、中和バッファーを含有する３８４ウェルプレートに移す
ｏＥｒｅｎｎａで３８４ウェルプレートを読み取る
【００８９】
図１及び表３は、ウェル中に異なる量の捕捉抗体を含むときの、捕捉抗体としての１１Ａ５及びレポーター抗体としての２３Ｅ８の検出感度を示す。捕捉抗体の１ウェルあたり、捕捉抗体でコーティングされたＭＰが５μｇであることが好ましい。なぜなら、ＰＳ−１２９アルファ−シヌクレイン濃度に対するシグナルの、結果として得られた傾きが、高感度範囲において広範な直線部分を有するためである。
【００９０】
【表３】
2018526642.tif 000005
【００９１】
ＰＳ１２９：まとめと結論
【００９２】
磁性粒子１ｍｇあたり１２．５μｇのＩｇＧでコーティングされた、１ウェルあたり５μｇの磁性粒子の１１Ａ５、及び２，０００ｎｇ／ｍＬの２３Ｅ８で、１ｍＬあたり０．１ｐｇのリン酸化アルファ−シヌクレインのＬＬＯＱが検出された。図２Ａ−Ｃに示されるように、抗体の好ましい組み合わせをそれらの好ましい量で使用して、シグナルとＰＳ１２９アルファ−シヌクレイン濃度の関係を示す検量線を決定した。この標準曲線は、２５ｐｇ／ｍＬ〜０．０２ｐｇ／ｍＬの検出範囲を有する。
【００９３】
図２Ａの１２点曲線を使用して、サンプルのＰＳ１２９アルファ−シヌクレインレベルを補間する。これは連続希釈である（この場合、１１点について２倍、アンカーがゼロ）。ハイライトされた部分は、アッセイの下端（ｌｏｗ  ｅｎｄ）感度と決定されたものであり、定量下限（ＬＬＯＱ）は、≦２０％ＣＶ及び予想値の８０−１２０％の回収率（及びバックグラウンドシグナル（例えば０点での値）の１．５倍を超えるシグナル）の最も低い点として定義され、ここでは、０．１ｐｇ／ｍＬとして示される。下端曲線（２Ｂ）は、直線セグメントのＤＥシグナルのみに注目する高感度エリアの単なる拡張されたエリア（例えば＜１０００ＤＥ）であり、ここで、ＤＥシグナルが濃度の決定に事実上１００％寄与する。図２Ｃは、最も低い濃度にわたって直線性を示す高感度エリアのグラフ表示（右上データのプロット）である。
【００９４】
次いで、ＰＳ１２９アルファ−シヌクレインのレベルを、ＰＳ１２９アルファ−シヌクレインでスパイクした及びスパイクしていないＣＳＦの神経学的対照サンプルにおいて測定した（表４）。
【００９５】
【表４】
2018526642.tif 000006
【００９６】
例３：ＣＳＦ中のＰＳ１２９アルファ−シヌクレインを検出するための最適化アッセイ
【００９７】
ＣＳＦサンプル中のＰＳ１２９アルファ−シヌクレインを検出するための最適化アッセイは、例２のアッセイの改変されたＳｉｎｇｕｌｅｘ標準希釈剤（リン酸緩衝食塩水、０．１％  ウシ血清アルブミン（ＢＳＡ）、及び０．１％  トリトンＸ−４０５を含む）を使用する。最適化アッセイにおけるＣＳＦサンプルは、使用前に、改変されたＳｉｎｇｕｌｅｘ標準希釈剤で１：４に希釈される。
【００９８】
図３Ａ−Ｃに示されるように、シグナルとＰＳ１２９アルファ−シヌクレイン濃度の関係を示す検量線を決定した。標準曲線は、５０ｐｇ／ｍＬ〜０．０５ｐｇ／ｍＬの検出範囲を有する。図３Ａの１２点曲線を使用して、サンプルのＰＳ１２９アルファ−シヌクレインレベルを補間する。これは、改変されたＳｉｎｇｕｌｅｘ標準希釈剤で希釈された参照ＰＳ１２９アルファ−シヌクレインの連続希釈である（この場合、１１点について２倍、アンカーがゼロ）。ハイライトされた部分は、定量下限（ＬＬＯＱ）と決定されたものであり、この定量下限（ＬＬＯＱ）は、≦２０％ＣＶ及び予想値の８０−１２０％の回収率（及びバックグラウンドシグナル（例えば０点での値）の１．５倍を超えるシグナル）の最も低い点として定義される。下端曲線（３Ｂ）は、直線セグメントのＤＥシグナルのみに注目する高感度エリアの単なる拡張されたエリア（例えば＜１０００ＤＥ）であり、ここで、ＤＥシグナルが濃度の決定に事実上１００％寄与する。図３Ｃは、最も低い濃度にわたって直線性を示す高感度エリアのグラフ表示（右上データのプロット）である。
【００９９】
この最適化アッセイでは、１ｍＬあたり０．０５ｐｇのＰＳ１２９アルファ−シヌクレインの検出下限（ＬＯＤ）、及び１ｍＬあたり０．１ｐｇのＰＳ１２９アルファ−シヌクレインの定量下限（ＬＬＯＱ）が検出された。
【０１００】
正常ＣＳＦサンプルを最適化アッセイで試験した。改変されたＳｉｎｇｕｌｅｘ標準希釈剤で希釈する前に、ＣＳＦサンプル中のヘモグロビン濃度を決定した。
【０１０１】
ＰＳ１２９アルファ−シヌクレインアッセイの前に、ＣＳＦサンプルを、改変されたＳｉｎｇｕｌｅｘ標準希釈剤で少なくとも１：４に希釈した。ＣＳＦの１：４希釈を用いたこの最適化アッセイで、０．４ｐｇ／ｍＬのＰＳ１２９アルファ−シヌクレインのＬＬＯＱ（希釈されていないＣＳＦ中）が検出された。
【０１０２】
このアッセイは、いくつかのＣＳＦサンプルを用いて実施され、アッセイ内変動性、アッセイ間変動性、スパイク及び回収率及び交差反応性、直線性及び平行性の業界標準に合格した。
【０１０３】
希釈されていないＣＳＦサンプルをモノシヌクレインで５００ｐｇ／ｍＬまででスパイクすることにより、最適化アッセイにおけるＰＳ１２９アルファ−シヌクレインの検出に干渉がないことが示された。（５００ｐｇ／ｍＬまでで）モノシヌクレインシグナルはＬＬＯＱ未満であった。Meso Scale Diagnosticsシヌクレインアッセイ（Meso Scale Diagnosticsヒトα−シヌクレインキット（Cat. # K151TGD-2、Meso Scale Diagnostics、Rockville、MD））を使用することにより、顕著な量のシヌクレインを含有することが知られている赤血球からの汚染がなかったという条件で（Barbour、２００８）、シヌクレインレベルが１０−５００ｐｇ／ｍＬの範囲にあることが見出された。それ故に、シヌクレインの予想されるレベルでは、交差反応性はない。抗体１１Ａ５を用いたBIAcore実験もまた、μＭレベルまででモノシヌクレインとの交差反応性がないことを示した。
【図１】
2018526642.tif 000007
【図２Ａ】
2018526642.tif 000008
【図２Ｂ】
2018526642.tif 000009
【図２Ｃ】
2018526642.tif 000010
【図３Ａ】
2018526642.tif 000011
【図３Ｂ】
2018526642.tif 000012
【図３Ｃ】
2018526642.tif 000013
【配列表】
2018526642000001.app
【国際調査報告】
2018526642.tif 000014
2018526642.tif 000015
2018526642.tif 000016
2018526642.tif 000017